(57)【要約】【課題】会議の音声映像情報による電子議事録を再生する際に、検索作業を容易に行える電子会議システムを実現する。【解決手段】会議における音声映像情報による電子議事録を生成する電子会議システムであって、前記会議において撮影された映像情報に含まれる会議参加者の動きを検出する動き検出部１２０と、前記動き検出手段で検出された前記会議参加者の動きに基づいて、前記映像情報に対応するインデックス情報を生成するインデックス情報生成部１４０と、前記音声映像情報と前記インデックス情報とを記憶する記憶部１６０と、を有する。【選択図】図１
2008124702.tif 000002
【特許請求の範囲】
【請求項１】
会議における音声映像情報による電子議事録を生成する電子会議システムであって、
前記会議において撮影された映像情報に含まれる会議参加者の動きを検出する動き検出手段と、
前記動き検出手段で検出された前記会議参加者の動きに基づいて、前記映像情報に対応するインデックス情報を生成するインデックス情報生成手段と、
を備え、前記音声映像情報を記憶する外部の記憶手段に対して、前記インデックス情報を供給することを特徴とする電子会議システム。
【請求項２】
会議における音声映像情報による電子議事録を生成する電子会議システムであって、
前記会議において撮影された映像情報に含まれる会議参加者の動きを検出する動き検出手段と、
前記動き検出手段で検出された前記会議参加者の動きに基づいて、前記映像情報に対応するインデックス情報を生成するインデックス情報生成手段と、
前記音声映像情報と前記インデックス情報とを記憶する記憶手段と、
を有することを特徴とする電子会議システム。
【請求項３】
会議における音声映像情報による電子議事録を生成する電子会議システムであって、
前記会議において撮影された映像情報に含まれる会議参加者の動きを検出する動き検出手段と、
前記動き検出手段で検出された前記会議参加者の動きについて、所定のしきい値を基準として、動きの有無を判定する判定手段と、
前記判定手段で動きありと判定された前記会議参加者の動きに基づいて、前記映像情報に対応するインデックス情報を生成するインデックス情報生成手段と、
前記音声映像情報と前記インデックス情報とを記憶する記憶手段と、
前記判定手段で判定基準とされる動きのしきい値を変更すると共に、前記記憶手段から再生される音声映像情報を再び前記動き検出手段に入力させ、前記インデックス情報生成手段によって前記インデックス情報を再び生成させるフィードバック手段と、
を有することを特徴とする電子会議システム。
【請求項４】
前記動き検出手段で動き検出の対象となる会議参加者を特定する対象特定手段を備え、前記インデックス情報に対象特定情報を含む、
ことを特徴とする請求項１乃至請求項３のいずれか一項に記載の電子会議システム。
【発明の詳細な説明】
【技術分野】
【０００１】
本発明は、会議中の映像からインデックスを有する議事録の作成を行える電子会議システムに関する。
【背景技術】
【０００２】
会議における音声映像情報を電子データによる電子議事録として保存することが可能になっている。この場合、コンピュータで利用可能な電子データとして、サーバなどで保存しておくことで、参加者や不参加者などが各自のコンピュータでこの電子議事録を再生して内容を確認することが可能である。
【０００３】
このような電子会議システムにおける電子議事録では、頭出しのためのインデックスが必要となる。そして、このインデックスの付与の手法としては、以下の特許文献などに提案がなされている。
【特許文献１】特開９−９３５２７号公報（第１頁、図２）
【特許文献２】特開２００５−３４１０２５号公報（第１頁、図２）
【特許文献３】特開２００２−１０９０９９号公報（第１頁、図２）
【発明の開示】
【発明が解決しようとする課題】
【０００４】
上記特許文献１は、シーンチェンジ検出時に取り込んだ代表画像を選び直して映像インデックスを作成する映像インデックス作成装置が記載されている。
この場合、シーン・チェンジ検出時に検出されたシーンは、映像の有する画像特性によるものとなっている。このため、ユーザが頭出ししたいと思っているシーンを検出でるとは限らない問題を有している。
【０００５】
上記特許文献２では、文字ベースの議事録と同様にして、重要な発言をキーワードとして頭出しができるように配慮されたシステムが提案されている。
この場合、重要なキーワードが発言された瞬間がインデックスとなる。このため、後からインデックスを頭出しに利用した場合、その重要なキーワードが発言される直前の状況などが分からず、さかのぼって再生する必要が生じるという問題がある。その際も、どこまでさかのぼれば良いかがわかりにくいという問題がある。
【０００６】
上記特許文献３では、プレゼンテーションで用いられる資料と、この資料を説明する映像・音声とを対応付けることで、資料と映像・音声とを同期再生する手法が提案されている。この場合、プレゼンテーションの資料の説明としてしか利用することができないという問題がある。
【０００７】
本発明は、以上のような課題を解決するためになされたものであって、会議の音声映像情報による電子議事録を再生する際に、検索作業を容易に行える電子会議システムを実現することを目的とする。
【課題を解決するための手段】
【０００８】
以上の課題を解決する本発明は、以下に記載するようなものである。
（１）請求項１記載の発明は、会議における音声映像情報による電子議事録を生成する電子会議システムであって、前記会議において撮影された映像情報に含まれる会議参加者の動きを検出する動き検出手段と、前記動き検出手段で検出された前記会議参加者の動きに基づいて、前記映像情報に対応するインデックス情報を生成するインデックス情報生成手段と、を備え、前記音声映像情報を記憶する外部の記憶手段に対して、前記インデックス情報を供給することを特徴とする電子会議システムである。
【０００９】
（２）請求項２記載の発明は、会議における音声映像情報による電子議事録を生成する電子会議システムであって、前記会議において撮影された映像情報に含まれる会議参加者の動きを検出する動き検出手段と、前記動き検出手段で検出された前記会議参加者の動きに基づいて、前記映像情報に対応するインデックス情報を生成するインデックス情報生成手段と、前記音声映像情報と前記インデックス情報とを記憶する記憶手段と、を有することを特徴とする電子会議システムである。
【００１０】
（３）請求項３記載の発明は、会議における音声映像情報による電子議事録を生成する電子会議システムであって、前記会議において撮影された映像情報に含まれる会議参加者の動きを検出する動き検出手段と、前記動き検出手段で検出された前記会議参加者の動きについて、所定のしきい値を基準として、動きの有無を判定する判定手段と、前記判定手段で動きありと判定された前記会議参加者の動きに基づいて、前記映像情報に対応するインデックス情報を生成するインデックス情報生成手段と、前記音声映像情報と前記インデックス情報とを記憶する記憶手段と、前記判定手段で判定基準とされる動きのしきい値を変更すると共に、前記記憶手段から再生される音声映像情報を再び前記動き検出手段に入力させ、前記インデックス情報生成手段によって前記インデックス情報を再び生成させるフィードバック手段と、を有することを特徴とする電子会議システムである。
【００１１】
（４）請求項４記載の発明は、前記動き検出手段で動き検出の対象となる会議参加者を特定する対象特定手段を備え、前記インデックス情報に対象特定情報を含む、ことを特徴とする請求項１乃至請求項３のいずれか一項に記載の電子会議システムである。
【００１２】
（５）以上の各請求項において、動き検出の対象として、会議参加者以外に、ホワイトボード，スクリーン，講壇，スポットライトなどの対象物を選択することや、対象者や対象物の移動だけでなく、明暗の変化などでインデックス情報を生成してもよい。
【発明の効果】
【００１３】
本発明の電子会議システムによると以下のような効果が得られる。
（１）請求項１記載の発明では、会議における音声映像情報による電子議事録を生成する際に、会議において撮影された映像情報に含まれる会議参加者の動きを検出し、検出された会議参加者の動きに基づいて、映像情報に対応するインデックス情報を生成し、音声映像情報を記憶する外部の記憶手段に対して、インデックス情報を供給する。
【００１４】
この場合、会議参加者の動きを検出してインデックス情報を生成しているため、例えば、説明者が説明場所へ移動したタイミングや、説明場所から自席へ戻るタイミング、多数の参加者が離席する休憩のタイミングなど、適切なタイミングでインデックス情報を生成することが可能になる。この結果、音声映像情報による電子議事録を外部の記憶手段に記憶し、再生する際に、検索作業を容易に行えるようになる。
【００１５】
（２）請求項２記載の発明では、会議における音声映像情報による電子議事録を生成する際に、会議において撮影された映像情報に含まれる会議参加者の動きを検出し、検出された会議参加者の動きに基づいて、映像情報に対応するインデックス情報を生成し、音声映像情報とインデックス情報とを記憶する。
【００１６】
この場合、会議参加者の動きを検出してインデックス情報を生成しているため、例えば、説明者が説明場所へ移動したタイミングや、説明場所から自席へ戻るタイミング、多数の参加者が離席する休憩のタイミングなど、適切なタイミングでインデックス情報を生成することが可能になる。この結果、音声映像情報による電子議事録を憶手段に記憶し、再生する際に、検索作業を容易に行えるようになる。
【００１７】
（３）請求項３記載の発明では、会議における音声映像情報による電子議事録を生成する際に、会議において撮影された映像情報に含まれる会議参加者の動きを検出し、検出された会議参加者の動きについて、所定のしきい値を基準として、動きの有無を判定し、動きありと判定された会議参加者の動きに基づいて、映像情報に対応するインデックス情報を生成し、音声映像情報とインデックス情報とを記憶する。
【００１８】
そして、判定基準とされる動きのしきい値を変更すると共に、記憶して再生される音声映像情報を再び入力させ、インデックス情報を再び生成する。
この場合、会議参加者の動きを検出してインデックス情報を生成しているため、例えば、説明者が説明場所へ移動したタイミングや、説明場所から自席へ戻るタイミング、多数の参加者が離席する休憩のタイミングなど、適切なタイミングでインデックス情報を生成することが可能になる。また、動き判定のしきい値を変更して、インデックス情報を生成し直すことが可能になる。
【００１９】
この結果、音声映像情報による電子議事録を憶手段に記憶し、再生する際に、適切なインデックス情報により、検索作業を容易に行えるようになる。
（４）請求項４記載の発明では、前記動き検出手段で動き検出の対象となる会議参加者を特定する対象特定手段を備え、前記インデックス情報に対象特定情報を含む、ことを特徴とする請求項１乃至請求項３のいずれか一項に記載の電子会議システムである。
【００２０】
この場合、会議参加者を特定しつつの動きを検出してインデックス情報を生成しているため、例えば、説明者が説明場所へ移動したタイミングや、説明場所から自席へ戻るタイミング、多数の参加者が離席する休憩のタイミングなど、適切なタイミングでインデックス情報を生成することが可能になる。
【００２１】
この結果、音声映像情報による電子議事録を外部の記憶手段に記憶し、再生する際に特定された会議参加者の動きに基づいて、所望のインデックスの頭出しが可能になり、より一層検索作業を容易に行えるようになる。
【００２２】
（５）以上の各請求項において、動き検出の対象として、会議参加者以外に、ホワイトボード，スクリーン，講壇，スポットライトなどの対象物を選択することや、対象者や対象物の移動だけでなく、明暗の変化などでインデックス情報を生成することで、より一層、適切なタイミングでインデックス情報を生成することが可能になる。
【発明を実施するための最良の形態】
【００２３】
以下、図面を参照して本発明を実施するための最良の形態（以下、実施形態）を詳細に説明する。
（１）電子会議システムの構成：
図２は本発明の第１の実施形態の電子会議システム１００内の詳細構成を示すブロック図である。なお、この図２では、本実施形態の動作説明に必要な部分の周囲を中心に記載してあり、その他の電子会議システム１００として既知の電源スイッチ、電源回路などの各種の部分については省略してある。
【００２４】
本実施形態の電子会議システム１００は、各部を制御する制御部１０１と、時刻情報を生成するタイムコード生成部１０２と、操作者による各種操作の入力がなされる操作手段としての操作部１０４と、入力される映像信号と音声信号（音声映像情報）を記録形式のデータに変換する信号処理手段としての信号処理部１１０と、会議映像での所定の動きを検出する動き検出手段としての動き検出部１２０、検出された動きを一定のしきい値を基準にして判定する判定手段としての判定部１３０、検出・判定された会議映像での動きに基づいてインデックス情報を生成するインデックス情報生成手段としてのインデックス生成部１４０と、会議映像での動き検出・判定の対象となる会議参加者などを特定する対象特定手段としての対象特定部１５０と、音声映像情報とインデックス情報とを記憶する記憶手段としての記憶部１６０と、記憶部１６０に記憶されている音声映像情報をインデックス情報に基づいて再生する指示を発生する再生指示手段としての再生指示部１７０と、記憶部１６０から再生される音声映像情報を再生表示可能な信号形式に変換する信号処理手段としての信号処理部１８０と、信号処理部１８０からの音声映像情報を画像表示・音声出力する表示手段としての表示部１９０と、信号処理部１８０からの音声映像情報を外部機器に伝達するための接続手段としてのＩ／Ｆ１９５と、を備えて構成されている。
【００２５】
なお、記憶部１６０は、音声映像情報を記憶する音声映像情報記憶部１６１と、インデックス情報を記憶するインデックス情報記憶部１６２とを備えて構成されている。なお、映像情報とインデックス情報とは、共にタイムコード生成部１６２で生成されたタイムコードを保持することで、同期させることが可能である。
【００２６】
また、図示されていないが、会議場に設置されたビデオカメラ、マイクからの音声映像情報が入力される。この場合、音声映像情報は、一般的なビデオ信号や音声信号だけでなく、コンピュータで扱うディジタルデータであってもよい。また、ビデオカメラは、特開２００４−２７９１１１号公報などに記載されているステレオカメラであってもよい。また、既知の顔抽出手段で会議参加者の存在を認識しておいて、２次元動き検出部で動いた会議参加紗々を検出することができる。
【００２７】
また、動き検出部１２０は、映像信号に含まれる動きを検出するだけでなく、参加者にICタグなどのIDを予め付しておいて特開2003-263612号公報などに記載されているＳＡＷ−ＩＤの技術を用いることができる。また、動き検出部１２０は、高度測位社会基盤研究フォーラムなどで検討されているＧＰＳ携帯電話装置を用いた屋内ＧＰＳの技術を用いることもできる。さらに、動き検出部１２０は、特開平８−２０５１１４号公報に記載されているように椅子に着座センサを設けておいて離席・着席を検出すると共に、特開平１０−７４１７５号公報や特開２００５−２６７３３５号公報に記載されているような座席・着席者関連づけの技術を適用することもできる。なお、図１では、映像信号から動き検出を行う例を示している。
【００２８】
（２）電子会議システムの動作（１）：
以下、図２のフローチャート、図４の説明図を参照して、本実施形態の記憶時の動作説明を行う。
【００２９】
まず、会議が開始されると、会議場に設置されたマイクからの音声信号とカメラからの映像信号とからなる音声映像情報が、本実施形態の電子会議システム１００の入力端子に入力される（図２中のステップＳ２０１）。この場合、一般的な音声信号や映像信号の形式で入力されても、ネットワーク経由でコンピュータで利用可能なデータ形式で入力されてもよい。また、会議場は単一である必要はなく、複数の会議場からの音声映像情報がミックスされた形式であっても良い。
【００３０】
そして、この音声映像情報の入力に応じて、信号処理部１１０が音声映像情報を記録可能な信号形式に変換する。そして、記録可能な信号形式に変換された音声映像情報は、記憶部１６０内の音声映像情報記憶部１６１に記憶される（図２中のステップＳ２０２）。この場合、会議の開始から終了までの音声映像情報が１つのファイルとして記憶されることが望ましい。なお、後述するインデックス情報との対応のため、タイムコード生成部１０２で生成されたタイムコードが音声映像情報に付加された状態で記憶される。
【００３１】
なお、記憶された後、再生されるまでの間は、この音声映像情報とインデックス情報とは、図示されない大容量記憶装置などに複写あるいは移動されてもよい。
ここで、入力される音声映像情報について、映像中に動きが発生するか否かを動き検出部１２０が監視している（図２中のステップＳ２０３）。そして、判定部１３０が、動き検出部１２０で検出された動きが所定の動きに該当するかを判定する。
【００３２】
ここで、動き有りと判定されるべき所定の動きとは、
・説明者が自席から離れて会議場中央の説明場所へ移動する動き、
・会議場中央の説明場所から自席へ戻る動き、
・説明者が自席で立ち上がって説明を開始する動き、
・多数の参加者が離席する（休憩開始の）動き、
・多数の参加者が着席する（会議再開の）動き、
などである。すなわち、インデックス情報として用いる価値のある、一定の量の動きを「動き」として検出できることが望ましい。
【００３３】
すなわち、発表していない会議参加者が水を飲む動作、メモを取る動作、横を向いて隣りと放す動作などを除外できることが望ましい。
このために、判定部１３０は、映像内の動きについて、動き方向と動き移動量とについて予め重みを設定しておいて、映像内の動きに重みを乗じた値としきい値とを比較して判定を行うことが望ましい。
【００３４】
以上の検出と判定とにより所定の動きの存在が確認されたら（図２中のステップＳ２０３でＹＥＳ）、インデックス生成部１４０は、インデックス情報を新たに生成するためのインデックス番号をインデックス情報記憶部１６２に伝達する（図２中のステップＳ２０４）。
【００３５】
また、以上の検出と判定とにより所定の動きの存在が確認されたら（図２中のステップＳ２０３でＹＥＳ）、対象特定部１５０が、動きのあった対象の特定を行う（図２中のステップＳ２０５）。そして、特定された対象（会議参加者など）の情報（対象特定情報）は、インデックス情報記憶部１６２に伝達する。
【００３６】
この対象特定部１５０としては、あらかじめ会議開始時の映像において、参加者の着席位置と参加者氏名とを関連づけておくことで、動きのあった対象を特定して対象特定情報を生成することが可能になる。この場合、会議開始時の映像を表示部１９０に表示し、操作部１０４から、参加者の着席位置を指定して、参加者氏名を入力しておく。そして、対象特定部１５０が、参加者の着席位置と参加者氏名との関連をテーブルとして保持しておく。
【００３７】
ここで、インデックス番号と対象特定情報とを受けたインデックス情報記憶部１６２は、タイムコード生成部１０２からタイムコードを取得する（図２中のステップＳ２０６）。ここで、タイムコードは、時刻（日時）情報、会議開始からの経過時間情報のいずれか、または両方である。
【００３８】
そして、インデックス情報記憶部１６２は、インデックス生成部１４０からのインデックス番号、対象特定部１５０からの対象特定情報、タイムコード生成部１０２からのタイムコードとを関連づけた状態にして、図４のようなインデックス情報を生成し（図２中のステップＳ２０７）、このインデックス情報を記憶する（図２中のステップＳ２０８）。
【００３９】
この図４では、インデックス番号、タイムコード（日時情報／経過情報）、対象者・対象物のデータが含まれた状態のインデックス情報となっている。
そして、音声映像情報の入力が続いている間は（図２中のステップＳ２０９でＹＥＳ）、以上の音声映像情報の記憶（図２中のステップＳ２０２）〜インデックス情報の記憶（図２中のステップＳ２０８）を繰り返す。また、音声映像情報の入力が停止すれば（図２中のステップＳ２０９でＮＯ）、音声映像情報とインデックス情報とのファイルをクローズし、互いに関連づけした状態で保存し（図２中のステップＳ２１０）、処理を終了する。
【００４０】
なお、以上の説明において、動き検出の対象は会議参加者であるとしたが、プロジェクター用スクリーンの昇降、ホワイトボードの移動など、特定の物の動きであっても良い。また、特定の場所や対象者へのスポットライトの照明など、明暗の変化や動きなどであってもよい。
【００４１】
以上の場合、会議参加者の動きを検出してインデックス情報を生成しているため、例えば、会議参加者のうちの説明者が説明場所へ移動したタイミングや、説明場所から自席へ戻るタイミング、多数の参加者が離席する休憩のタイミングなど、適切なタイミングでインデックス情報を生成することが可能になる。
【００４２】
なお、以上の説明において、インデックス情報が生成された際の、対象者の動きをインデックス情報に加えても良い。例えば、全員・着席，田中・離席，田中・着席，全員・離席などのようにすることも可能である。
【００４３】
なお、以上の説明において、インデックス情報が生成された際の、対象物についての動きをインデックス情報に加えても良い。例えば、ホワイトボード・明，スクリーン・下降，スクリーン・明，講壇，明，会議室・暗，スポットライト・移動などのようにすることも可能である。
【００４４】
（３）電子会議システムの動作（２）：
以下、図３のフローチャート、図５の説明図を参照して、本実施形態の再生時の動作説明を行う。なお、再生（電子議事録の閲覧）は外部のコンピュータからも可能であるが、個々では、操作部１０４を介して再生の操作を行う場合を具体例にする。
【００４５】
まず、会議の電子議事録を閲覧しようとする利用者は、再生するファイルを操作部１０４から選択する（図３中のステップＳ３０１）。再生するファイルが選択されると、再生指示部１７０は、該当するファイルのインデックス情報（図５参照）をインデックス情報記憶部１６２から読み出して表示部１９０に表示する（図３中のステップＳ３０２）。
【００４６】
この図５では、インデックス番号、タイムコード（日時情報／経過情報）、対象者・対象物のデータが含まれた状態のインデックス情報の所定件数を表示したインデックス一覧表示部１９１０と、その再生・停止・送り・戻しなどの操作を行う操作画面１９２０とが示された状態を示している。
【００４７】
この操作画面において、利用者が再生しようとするインデックス番号が入力されて再生の指示がなされると（図３中のステップＳ３０３でＹＥＳ）、再生指示部１７０は、インデックス情報中の該当するインデックス番号に対応するタイムコードを抽出する。そして、再生指示部１７０は、そのタイムコードに該当するタイミングから音声映像情報の再生を指示し（図３中のステップＳ３０４）、音声映像情報の再生を開始する（図３中のステップＳ３０５）。
【００４８】
なお、この音声映像情報の再生中には、インデックス一覧表示部１９１０は表示されない状態で、操作画面１９２０が画面の隅に表示され続けることが望ましい。
なお、電子議事録の閲覧、すなわち、音声映像情報の再生中に、操作画面１９２０から次のインデックスの再生の指示があれば（図３中のステップＳ３０６でＹＥＳ）、再生指示部１７０はインデックス番号を＋１して（図３中のステップＳ３０７）、インデックス情報中の該当するインデックス番号に対応するタイムコードを抽出し、そのタイムコードに該当するタイミングから音声映像情報の再生を指示し（図３中のステップＳ３０４）、音声映像情報の再生を開始する（図３中のステップＳ３０５）。
【００４９】
また、電子議事録の閲覧、すなわち、音声映像情報の再生中に、操作画面１９２０から前のインデックスの再生の指示があれば（図３中のステップＳ３０８でＹＥＳ）、再生指示部１７０はインデックス番号を−１して（図３中のステップＳ３０９）、インデックス情報中の該当するインデックス番号に対応するタイムコードを抽出し、そのタイムコードに該当するタイミングから音声映像情報の再生を指示し（図３中のステップＳ３０４）、音声映像情報の再生を開始する（図３中のステップＳ３０５）。
【００５０】
また、電子議事録の閲覧、すなわち、音声映像情報の再生中に、操作画面１９２０からインデックス一覧表示部１９１０の表示要請（図５の１９２０ａの操作）があれば（図３中のステップＳ３１０でＹＥＳ）、再生指示部１７０はインデックス一覧表示部１９１０を表示画面１９００中に表示する（図３中のステップＳ３０２）。
【００５１】
以上のようにして、インデックス一覧表示部１９１０のインデックス番号が選択されれば、そのインデックス番号に応じたタイムコードのタイミングの音声映像情報が再生される。また、再生の停止の指示があれば（図３中のステップＳ３１１でＹＥＳ）、処理を終了し、電子議事録の閲覧、すなわち、音声映像情報の再生を停止する。
【００５２】
以上のようにした結果、音声映像情報による電子議事録について、特定された会議参加者の動きに基づいて、所望のインデックスの頭出しが可能になり、再生時の検索作業を容易に行えるようになる。
【００５３】
なお、以上の説明において、インデックス情報が生成された際の、対象者・対象物の動き（全員・着席，田中・離席，田中・着席，全員・離席など）をインデックス情報に加えた場合には、再生時の検索作業がより一層容易になる。
【００５４】
（４）電子会議システムの動作（３）：
なお、生成されたインデックス情報が多すぎて検索が繁雑な場合、生成されたインデックス情報が少なすぎて十分な検索が行えない場合、などにインデックス情報を再生成することが可能である。
【００５５】
すなわち、インデックス情報再生成の指示が操作部１０４から入力されると、音声映像情報記憶部１６１から音声映像情報が再生され、この音声映像情報がフィードバック部１０６を経由して入力端子に再び供給される。
【００５６】
この際、音声映像情報記憶部１６１への記憶は行われないが、動き検出部１２０、判定部１３０、インデックス生成部１４０、対象特定部１５０が動作することで、かつ、判定部１３０の判定基準となるしきい値が変更されることで、新たなインデックス情報がインデックス生成部１４０で生成される。そして、この新たなインデックス情報が、インデックス情報記憶部１６２に記憶される。この場合、タイムコード生成部１０２は、再生されている音声映像情報に含まれるタイムコードを参照し、必要なタイムコードを生成する。
【００５７】
この場合、判定部１３０での判定基準となるしきい値を厳しく（高く）することで、少ないインデックス情報が生成される。逆に、判定部１３０での判定基準となるしきい値を緩く（低く）することで、多数のインデックス情報が生成される。
【００５８】
また、動きの方向を指定したり、特定の方向の動きのしきい値を変更することで、発表開始時のみにインデックス情報を付与したり、発表終了時にのみインデックス情報を付与したりすることも可能である。
【００５９】
また、特定者の動きに大きな重みを付与することで、会議参加者の特定の注目人物の動きに連動したインデックス情報を付与することも可能である。
（５）その他：
以上の説明は、操作部１０４から再生時の指示を入力するようにしていたが、ネットワークに接続された外部のコンピュータで電子議事録の閲覧をする場合にも、同様の処理を実行することが可能である。その場合、インデックス情報の変更に関しては、責任者の権限が必要であると設定することが望ましい。
【００６０】
また、以上の説明では、記憶部１６０が電子会議システム１００に内蔵された状態であったが、外部の記憶装置や専用の記憶サーバなどを用いることも可能である。
【図面の簡単な説明】
【００６１】
【図１】本発明の実施形態の構成を示すブロック図である。
【図２】本発明の実施形態の動作を示すフローチャートである。
【図３】本発明の実施形態の動作を示すフローチャートである。
【図４】本発明の実施形態におけるインデックス情報を示す説明図である。
【図５】本発明の実施形態におけるインデックス情報を示す説明図である。
【符号の説明】
【００６２】
１００  電子会議システム
１０１  制御部
１１０  信号処理部
１２０  動き検出部
１３０  判定部
１４０  インデックス生成部
１５０  対象特定部
１６０  記憶部
１７０  再生指示部
１８０  信号処理部
１９０  表示部
【図１】
2008124702.tif 000003
【図２】
2008124702.tif 000004
【図３】
2008124702.tif 000005
【図４】
2008124702.tif 000006
【図５】
2008124702.tif 000007